(57)【特許請求の範囲】
【請求項１】
無線信号処理を行うソフトウェアをロードした複数の信号処理装置のリソース管理を行うリソース管理装置であって、
前記信号処理装置から通知されたリソース使用率に基づいて、前記信号処理装置毎に、リソースを利用する際の使用料を設定するコスト設定手段と、
前記信号処理装置のリソースの利用元に対して前記設定した使用料を送信し、前記利用元から前記ソフトウェアが利用するリソースを有する前記信号処理装置を特定する情報を受信する利用リソース特定手段と、
前記信号処理装置を特定する情報に基づき、前記ソフトウェアをロードすべき信号処理装置を特定し、前記ソフトウェアを特定した前記信号処理装置にロードするソフトウェアロード手段と
を備えることを特徴とするリソース管理装置。
【請求項２】
前記コスト設定手段は、前記リソースの単位使用料に対して、前記リソースの使用率の逆数を乗算することにより前記使用料を算出して設定することを特徴とする請求項１に記載のリソース管理装置。
【請求項３】
前記コスト設定手段は、前記リソースの使用率と使用料を関係付けたテーブルを内部に備え、前記信号処理装置から通知された前記リソース使用率に関係付けられた前記使用料を前記テーブルから読み出し、読み出した使用料に設定することを特徴とする請求項１に記載のリソース管理装置。
【請求項４】
無線信号処理を行うソフトウェアをロードした複数の信号処理装置のリソース管理を行うリソース管理装置が行うリソース管理方法であって、
前記信号処理装置から通知されたリソース使用率に基づいて、前記信号処理装置毎に、リソースを利用する際の使用料を設定するコスト設定ステップと、
前記信号処理装置のリソースの利用元に対して前記設定した使用料を送信し、前記利用元から前記ソフトウェアが利用するリソースを有する前記信号処理装置を特定する情報を受信する利用リソース特定ステップと、
前記信号処理装置を特定する情報に基づき、前記ソフトウェアをロードすべき信号処理装置を特定し、前記ソフトウェアを特定した前記信号処理装置にロードするソフトウェアロードステップと
を有することを特徴とするリソース管理方法。
【発明の詳細な説明】
【技術分野】
【０００１】
本発明は、無線信号処理機能をソフトウェアによって自在に入れ替えることが可能なアクセスポイント等の無線信号処理装置を用いて無線信号処理を行う際のリソース利用を管理するリソース管理装置及びリソース管理方法に関する。
【背景技術】
【０００２】
従来から、無線信号処理機能をソフトウェアによって自在に入れ替えることが可能なフレキシブルワイヤレスシステムが知られている。利用者宅には無線信号処理機能を実現するソフトウェアが動作するアクセスポイントが設置されており、ネットワーク側には同じソフトウェアが動作する無線信号処理装置が設置される。このアクセスポイントと無線信号処理装置の双方で協調することにより機能分散して、ソフトウェアによりさまざまな無線方式の信号を信号処理することが可能である（例えば、特許文献１、２参照）。
【先行技術文献】
【特許文献】
【０００３】
【特許文献１】特開２００５−１９２０９０号公報
【特許文献２】特開２００４−３４３５００号公報
【発明の概要】
【発明が解決しようとする課題】
【０００４】
ところで、複数の無線信号処理装置及び複数のアクセスポイントにより構成されるフレキシブルワイヤレスシステムでは、信号処理を行う無線方式ソフトウェアの生産と通信システムの管理は別の主体によって行われる場合がある。このとき、一の通信システム管理主体（管理事業者）が、複数のソフトウェアメーカとの間でハードウェアリソースの最適化を図りながら、各ソフトウェアを配置していくことは煩雑であるという問題がある。
【０００５】
また、ソフトウェアメーカの各々がハードウェアリソースを特定してソフトウェアのロード等を行うと、アクセスポイントのような一部のハードウェアリソースに処理が集中する構成となる可能性があり、リソースの最適化を図ることができないという問題がある。特に、単純なソフトウェアの場合、リソースが固定的に使われてしまい、収容効率が悪くなり、収容局数が低下してしまう。そのため、適用できる無線方式数に限界ができてしまいユーザの利便性が損なわれるという問題がある。
【０００６】
本発明は、このような事情に鑑みてなされたもので、無線信号処理機能をソフトウェアによって自在に入れ替えることが可能なアクセスポイント等の無線信号処理装置が無線信号処理の際に使用するリソースを最適化することができるリソース管理装置及びリソース管理方法を提供することを目的とする。
【課題を解決するための手段】
【０００７】
本発明は、無線信号処理を行うソフトウェアをロードした複数の信号処理装置のリソース管理を行うリソース管理装置であって、前記信号処理装置から通知されたリソース使用率に基づいて、前記信号処理装置毎に、リソースを利用する際の使用料を設定するコスト設定手段と、前記信号処理装置のリソースの利用元に対して前記設定した使用料を送信し、前記利用元から前記ソフトウェアが利用するリソースを有する前記信号処理装置を特定する情報を受信する利用リソース特定手段と、前記信号処理装置を特定する情報に基づき、前記ソフトウェアのロード先となる信号処理装置を特定し、前記ソフトウェアを特定した前記信号処理装置にロードするソフトウェアロード手段とを備えることを特徴とする。
【０００８】
本発明は、前記コスト設定手段は、前記リソースの単位使用料に対して、各リソースの使用状況を鑑みて、使用率の低いリソースの使用料を安く、使用率の高いリソースの使用料を高くするように使用料を設定すること、例えば、前記リソースの使用率の逆数を乗算することにより前記使用料を算出して設定することを特徴とする。
【０００９】
本発明は、前記コスト設定手段は、前記リソースの使用率と使用料を関係付けたテーブルを内部に備え、前記信号処理装置から通知された前記リソース使用率に関係付けられた前記使用料を前記テーブルから読み出し、読み出した使用料に設定することを特徴とする。
【００１０】
本発明は、無線信号処理を行うソフトウェアをロードした複数の信号処理装置のリソース管理を行うリソース管理装置が行うリソース管理方法であって、前記信号処理装置から通知されたリソース使用率に基づいて、前記信号処理装置毎に、リソースを利用する際の使用料を設定するコスト設定ステップと、前記信号処理装置のリソースの利用元に対して前記設定した使用料を送信し、前記利用元から前記ソフトウェアが利用するリソースを有する前記信号処理装置を特定する情報を受信する利用リソース特定ステップと、前記信号処理装置を特定する情報に基づき、前記ソフトウェアのロード先となる信号処理装置を特定し、前記ソフトウェアを特定した前記信号処理装置にロードするソフトウェアロードステップとを有することを特徴とする。
【発明の効果】
【００１１】
本発明によれば、無線信号処理機能をソフトウェアによって自在に入れ替えることが可能なアクセスポイント等の無線信号処理装置におけるリソース利用を最適化することができるという効果が得られる。
【図面の簡単な説明】
【００１２】
【図１】本発明の第１の実施形態の構成を示す模式図である。
【図２】図１に示す装置の動作を示すシーケンス図である。
【図３】本発明の第２の実施形態における図１に示す装置の動作を示すシーケンス図である。
【図４】本発明の第３の実施形態における図１に示す装置の動作を示すシーケンス図である。
【図５】本発明の第４の実施形態における図１に示す装置の動作を示すシーケンス図である。
【図６】リソースコスト情報の通知を行う動作を示すフローチャートである。
【図７】リソースコスト情報の通知を行う動作を示すフローチャートである。
【図８】リソースコスト情報の通知を行う動作を示すフローチャートである。
【図９】無線信号処理ソフトウェアをどの装置で動作させるかを決定する動作を示すフローチャートである。
【発明を実施するための形態】
【００１３】
＜第１の実施形態＞
以下、図面を参照して、本発明の第１の実施形態によるリソース管理装置を説明する。図１は同実施形態における無線通信処理システム全体の構成を示すブロック図である。この図において、符号１１、２１、３１は、それぞれ住宅に設置されるアクセスポイントである。符号１２、２２、３２は、それぞれアクセスポイント１１、２１、３１のリソース利用状態を測定するリソース利用状態測定部である。符号４は、アクセスポイント１１、２１、３１と接続され、無線信号処理を行う無線信号処理装置である。符号５はインターネット等の公衆通信網で構成するネットワークである。符号６は、各アクセスポイントのリソースの利用状況と無線信号処理装置のリソースの利用状況、およびアクセス回線の状況を収集するリソース管理部６１、これらのリソース情報を元に各リソースのコストを算出するコスト算出部６２、無線方式ソフトメーカにリソースコストを通知し、無線方式ソフトメーカから無線方式ソフトを動作させたいリソースの情報と受け取る事業者通知部６３からなるリソース利用管理装置である。符号７は、アクセス回線の管理を行うアクセス管理装置である。
【００１４】
コスト算出部６２は、各リソースの使用状況を鑑みて、使用率の低いリソースの使用料を安く、使用率の高いリソースの使用料を高くするように使用料を設定する。例えば、単位使用料に対して、各リソース使用率の逆数を乗算することによって、使用料を算出する。また、使用率と使用料を関係付けたテーブルを内部にもっておき、得られた使用状況に関係付けられた使用料をテーブルから読み出し、読み出した使用料に設定するようにしてもよい。リソース利用管理装置６は、各無線方式ソフトメーカ（リソース利用元）に対して算出したリソースコスト情報を通知し、モニター等の表示手段により表示する。なお、無線方式ソフトメーカは、この表示に基づいて、ソフトウェアをロードするハードウェアを選択し、選択したハードウェアに対してソフトウェアをロードして、指定の装置で動作させる。
【００１５】
次に、図２を参照して、図１に示す装置の動作を説明する。図２は、図１に示す装置の動作を示すシーケンス図である。まず、無線信号処理装置４は、リソース管理部６１に対して、リソースの使用状況を通知する（ステップＳ１）。これと並行して、各アクセスポイントのリソース利用状態測定部１２、２２、３２は、リソース管理部６１に対して、リソースの使用状況を通知する（ステップＳ２）。また、アクセス回線管理装置７は、リソース管理部６１に対して、回線の使用状況を通知する（ステップＳ３）。
【００１６】
次に、コスト算出部６２は、通知された各リソースの使用状況を鑑みて、使用料を再計算する。一部のリソースに使用が集中しボトルネックが発生しないように、空いているリソース使用の料金を安く設定する（ステップＳ４）。このとき、ハードウェアの種類に応じて、料金を設定する。例えば、アクセスポイントは端末装置との距離が小さいため処理遅延の影響を受けにくい、一方、具備するリソースが小さいため、アクセスポイントの単位コスト量を無線信号処理装置よりも高く設定する。ステップＳ１〜Ｓ４の動作は、周期的に動作する。
【００１７】
そして、コスト算出部６２は、料金設定結果であるリソースコスト情報（例えば、アクセスポイントは１０円、無線信号処理装置は１円）を各ソフトウェアメーカのサーバ等に通知する（ステップＳ５、Ｓ６、Ｓ７）。これを受けて、各ソフトウェアメーカの作業者は、どの装置で無線方式ソフトを動作させるかを検討し決定する（ステップＳ８、Ｓ９、Ｓ１０）。そして、作業者は、サーバ等を用いて、ソフトウェア及びそれをロードする装置の情報を含む動作リソース通知をリソース利用管理装置６へ通知する（ステップＳ１１、Ｓ１２、Ｓ１３）。
【００１８】
次に、リソース管理部６１は、ソフトウェアメーカのサーバから入力されたソフトウェア及びそれをロードする装置の情報を受信すると、対応する装置に対してソフトウェアをロードする（ステップＳ１４、Ｓ１５、Ｓ１６）。各装置は、ロードされたソフトウェアを実行し、受信信号の信号処理を行う。
【００１９】
＜第２の実施形態＞
次に、本発明の第２の実施形態による無線信号処理システムを説明する。図３は同実施形態における図１に示す装置の動作を示すシーケンス図である。図３において、図２に示す動作と同一の部分には同一の符号を付し、その説明を省略する。回線利用料を重視した場合、アクセスポイントで無線信号処理をすることにより、アクセスポイントから出力されるデータを復調・復号後の信号とすることによって、ネットワーク上のトラヒックを抑制することができる。図３に示す動作が図２に示す動作と異なる点は、Ａ社がアクセスポイントで動作させるように決定して、動作リソース通知を行い、アクセスポイントでソフトウェアを動作させる（ステップＳ１４’）ようにした点である。
【００２０】
＜第３の実施形態＞
次に、本発明の第３の実施形態による無線信号処理システムを説明する。図４は同実施形態における図１に示す装置の動作を示すシーケンス図である。図４において、図２に示す動作と同一の部分には同一の符号を付し、その説明を省略する。複数のハードウェアリソースに対して分散的にロードさせることを重視して、分割可能なソフトウェアについて、ソフトウェアの各パーツによるリソース使用量が小さい場合に、使用料を低減する料金設定を行うこともできる。例えば、一のパーツをロードしたときに必要となるリソースの量に応じて段階的に料金が引きあがるように算出する。分割できないソフトウェアや、リソース使用量が大きいパーツの量を低減して、リソースの分散効果を高めるとともに、動作させる装置の選択の自由度が高くなる効果が得られる。図４に示す動作が図２に示す動作と異なる点は、Ａ社が３つに分割、Ｂ社が２に分割、Ｃ社が分割しないように決定して、動作リソース通知を行い（ステップＳ１１’、Ｓ１２’、Ｓ１３’）、それぞれの装置でソフトウェアを動作させる（ステップＳ１４’、Ｓ１５’、Ｓ１６’）した点である。
【００２１】
＜第４の実施形態＞
次に、本発明の第４の実施形態による無線信号処理システムを説明する。図５は同実施形態における図１に示す装置の動作を示すシーケンス図である。図５において、図２に示す動作と同一の部分には同一の符号を付し、その説明を省略する。アクセスポイントのリソース使用状況、無線信号処理装置のリソース使用状況、ネットワークリソースの使用状況は時々刻々変化するため、フレキシブルワイヤレスシステム事業者は、それらのリソースの利用状況を鑑みて、課金の条件を時々刻々変化させて、全体としてリソース利用の最適化を図る。分割性が高いソフトウェアであれば、課金条件の変化に最適に追従しやすいため、周期的にリソースの状況を収集して、その変化に応じて、動作させる装置を決定する。
【００２２】
次に、図６を参照して、第１〜第４の実施形態におけるリソースコスト情報の通知を行う動作を説明する。図６は、リソースコスト情報の通知を行う動作を示すフローチャートである。図６に示す動作は、アクセス回線のボトルネック発生回避とシステム全体のリソースの利用を平準化するようにリソースコスト情報の通知を行うものである。まず、リソース管理部６１は、各装置からリソース使用状況を収集するとともに、アクアセス回線管理装置７から回線使用状況を収集する（ステップＳ１０１）。
【００２３】
次に、コスト算出部６２は、回線使用状況が少ないか否かを判定し（ステップＳ１０２）、少なくなければ、リソースコスト情報を通知する（ステップＳ１０４）。このとき、アクセスポイントは安く、無線信号処理装置は高く設定する。「安く」「高く」の程度は空きリソースの「少ない」「多い」に比例して決定する。
【００２４】
一方、回線使用状況が少ない場合、コスト算出部６２は、アクセスポイントの空きリソース（Ａとする）と無線信号処理装置の空きリソース（Ｂとする）の状況を判定し（ステップＳ１０３）、その状況に応じて、リソースコスト情報を通知する。アクセスポイントの空きリソースＡが多く、無線信号処理装置の空きリソースＢが少ない場合、アクセスポイントは安く、無線信号処理装置は高く設定する（ステップＳ１０４）。また、アクセスポイントの空きリソースＡが多く、無線信号処理装置の空きリソースＢが多い場合、変更なしであることを通知する（または、リソースコスト情報通知を行わない）（ステップＳ１０５）。
【００２５】
また、アクセスポイントの空きリソースＡが少なく、無線信号処理装置の空きリソースＢが少ない場合、ソフトウェア分割性が高い場合は安く、ソフトウェア分割性が低い場合は高く設定する（ステップＳ１０６）。また、アクセスポイントの空きリソースＡが少なく、無線信号処理装置の空きリソースＢが多い場合、アクセスポイントは高く、無線信号処理装置は安く設定する（ステップＳ１０７）。
【００２６】
次に、図７を参照して、第１〜第４の実施形態におけるリソースコスト情報の通知を行う動作の変形例を説明する。図７は、リソースコスト情報の通知を行う動作を示すフローチャートである。図７は、システム全体のリソースの利用を平準化するようにリソースコスト情報の通知を行うものである。図７において、図６に示す動作と同一の部分には同一の符号を付し、その説明を簡単にする。まず、リソース管理部６１は、各装置からリソース使用状況を収集するとともに、アクアセス回線管理装置７から回線使用状況を収集する（ステップＳ１０１）。
【００２７】
次に、コスト算出部６２は、アクセスポイントの空きリソースＡと無線信号処理装置の空きリソースＢの状況を判定し（ステップＳ１０３）、その状況に応じて、リソースコスト情報を通知する。アクセスポイントの空きリソースＡが多く、無線信号処理装置の空きリソースＢが少ない場合、アクセスポイントは安く、無線信号処理装置は高く設定する（ステップＳ１０４）。また、アクセスポイントの空きリソースＡが多く、無線信号処理装置の空きリソースＢが多い場合、変更なしであることを通知する（または、リソースコスト情報通知を行わない）（ステップＳ１０５）。
【００２８】
また、アクセスポイントの空きリソースＡが少なく、無線信号処理装置の空きリソースＢが少ない場合、ソフトウェア分割性が高い場合は安く、ソフトウェア分割性が低い場合は高く設定する（ステップＳ１０６）。また、アクセスポイントの空きリソースＡが少なく、無線信号処理装置の空きリソースＢが多い場合、アクセスポイントは高く、無線信号処理装置は安く設定する（ステップＳ１０７）。
【００２９】
次に、図８を参照して、第１〜第４の実施形態におけるリソースコスト情報の通知を行う動作の変形例を説明する。図８は、リソースコスト情報の通知を行う動作を示すフローチャートである。図８は、アクセス回線のボトルネック発生回避するようにリソースコスト情報の通知を行うものである。図８において、図６に示す動作と同一の部分には同一の符号を付し、その説明を簡単にする。まず、リソース管理部６１は、各装置からリソース使用状況を収集するとともに、アクアセス回線管理装置７から回線使用状況を収集する（ステップＳ１０１）。
【００３０】
次に、コスト算出部６２は、回線使用状況が少ないか否かを判定し（ステップＳ１０２）、少なくなければ、リソースコスト情報を通知する（ステップＳ１０４）。このとき、アクセスポイントは安く、無線信号処理装置は高く設定する。一方、回線使用状況が少ない場合、コスト算出部６２は、変更なしであることを通知する（または、リソースコスト情報通知を行わない）（ステップＳ１０５）。
【００３１】
次に、図９を参照して、無線方式ソフトウェアメーカからどの装置で無線方式ソフトウェアを動かすかの情報を受信した場合に、無線信号処理ソフトウェアをどの装置で動作させるかを決定する動作を説明する。図９は、無線信号処理ソフトウェアをどの装置で動作させるかを決定する動作を示すフローチャートである。
【００３２】
まず、リソース管理部６１は、無線方式ソフトメーカ各社からどの装置で無線方式ソフトを動かすかの情報を受信する（ステップＳ１１０）。続いて、リソース管理部６１は、アクセスポイントでの無線方式ソフトウェア収容（Ａとする）と、無線信号処理装置での無線方式ソフトウェア収容（Ｂとする）の状況を判定し（ステップＳ１１１）、アクセスポイントでの無線方式ソフトウェア収容Ａと、無線信号処理装置での無線方式ソフトウェア収容Ｂの状況に応じて、どの装置で動作させるかを決定する。
【００３３】
判定の結果、アクセスポイントでの無線方式ソフトウェア収容Ａがオーバー、無線信号処理装置での無線方式ソフトウェア収容Ｂがオーバーであれば、リソース管理部６１は、いずれかの無線方式ソフトウェア収容をやめる（ステップＳ１１２）。例えば、作業者が無線方式ソフトメーカ各社と話し合って、収容をやめるソフトウェアを決定し、リソース管理部６１に対して指示の操作を行う。
【００３４】
また、アクセスポイントでの無線方式ソフトウェア収容Ａがオーバー、無線信号処理装置での無線方式ソフトウェア収容ＢがＯＫであれば、リソース管理部６１は、動作装置として無線信号処理装置を指定するソフトウェアをアクセスポイントで動作させる。また、リソース管理部６１は、動作装置としてアクセスポイントを指定するソフトウェアの一部を無線信号処理装置で動作、残りをアクセスポイントで動作させる。また、リソース管理部６１は、動作装置を指定しないソフトウェアは無線信号処理装置で動作させる（ステップＳ１１３）。
【００３５】
また、アクセスポイントでの無線方式ソフトウェア収容ＡがＯＫ、無線信号処理装置での無線方式ソフトウェア収容Ｂがオーバーであれば、リソース管理部６１は、動作装置としてアクセスポイントを指定するソフトウェアをアクセスポイントで動作させる。また、リソース管理部６１は、動作装置として無線信号処理装置を指定するソフトウェアの一部をアクセスポイントで動作、残りを無線信号処理装で動作させる。また、リソース管理部６１は、動作装置を指定しないソフトウェアをアクセスポイントで動作させる（ステップＳ１１４）。
【００３６】
また、アクセスポイントでの無線方式ソフトウェア収容ＡがＯＫ、無線信号処理装置での無線方式ソフトウェア収容ＢがＯＫであれば、この無線信号処理ソフトウェアを指定の装置で動作させる（ステップＳ１１５）。
【００３７】
なお、前述した説明においては、各装置のリソースの利用の平準化を目的として動作させる例を説明したが、平準化のみならず、意図的にある装置にリソースの利用を集中させたり、リソースの利用を減らしたりする場合にも用いることが可能である。
【００３８】
また、前述した説明においては、既に登録されているソフトウェアをどの装置で動作させるかについて説明したが、算出したコストをベースに新たに登録すべきソフトウェアの配置先となるリソースを特定する場合に用いるようにしてもよい。また、図２〜図５に示す動作では、各ソフトウェアメーカの作業者が、どの装置で無線方式ソフトを動作させるかを検討し決定し、作業者は、サーバ等を用いて、ソフトウェア及びそれをロードする装置の情報を含む動作リソース通知をリソース利用管理装置へ通知する例を説明したが、各ソフトウェアメーカのサーバが、内部に保持している決定条件の情報に基づき、装置の選択を自動的に行うようにしてもよい。例えば、決定条件として、「コストが常に安い方を選択する」、「コストの値が所定のしきい値を超えたら予め決められた装置を選択する」等を各ソフトウェアメーカのサーバ内に保持しておけばよい。
【００３９】
このように、リソース利用管理装置が、フレキシブルワイヤレスシステムのハードウェアリソースを一元管理し、各ハードウェアリソースの使用状況に応じて、利用コストを算出して、表示するようにした。これにより、ソフトウェアメーカは、表示された利用コストに基づいてソフトウェアをロードするハードウェアリソースを選択することができるため、利用コストを低減できる効果がある。一方、使用が集中しているハードウェアの使用を抑えられれば、リソースの均一化（最適化）が実現できる。
【００４０】
以上説明したように、無線端末から受信した無線信号をアクセスポイント、信号処理装置等の複数の装置を用いて分散処理するフレキシブルワイヤレスシステムにおいて、複数のアクセスポイント、信号処理装置により構成するフレキシブルワイヤレスシステムでは、無線信号処理ソフトウェアの生産者（ソフトウェアメーカ）とシステム管理者が異なる場合には、複数のソフトウェアメーカが生産したソフトウェアをシステム管理者がハードウェア上で最適となるように配置してロードすることは煩雑であるという問題がある。
【００４１】
前述したリソース利用管理装置は、一のフレキシブルワイヤレスシステムを構成する各リソース（アクセスポイント、信号処理装置）の使用率を取得し、この使用率に基づいて各リソースの使用料（コスト）を算出するようにした。また、新たに追加されるソフトウェアは、当該コストに基づいてロード先が判定され、判定されたリソース上で実行され、無線信号の処理を行う。これにより、各リソースの使用率に基づいて、それが均一化されるようにソフトウェアのロードを行うことが可能となるため、システム管理者の煩雑さを回避しつつ、ソフトウェアの均一的な配置を行うことができる。
【００４２】
なお、図１におけるリソース利用管理装置６の機能を実現するためのプログラムをコンピュータ読み取り可能な記録媒体に記録して、この記録媒体に記録されたプログラムをコンピュータシステムに読み込ませ、実行することによりリソース管理処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００４４】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行っても良い。
【産業上の利用可能性】
【００４５】
無線信号処理機能をソフトウェアによって自在に入れ替えることが可能なアクセスポイント等の無線信号処理装置を用いる際に、リソース利用を最適化することが不可欠な用途に適用できる。
【符号の説明】
【００４６】
１１、２１、３１・・・アクセスポイント、１２、２２、３２・・・リソース利用状態測定部、４・・・無線信号処理装置、５・・・ネットワーク、６・・・リソース利用管理装置、６１・・・リソース管理部、６２・・・コスト算出部、６３・・・事業者通信部、７・・・アクセス回線管理装置
【図１】
0005628845.tif 000002
【図２】
0005628845.tif 000003
【図３】
0005628845.tif 000004
【図４】
0005628845.tif 000005
【図５】
0005628845.tif 000006
【図６】
0005628845.tif 000007
【図７】
0005628845.tif 000008
【図８】
0005628845.tif 000009
【図９】
0005628845.tif 000010